(57)【要約】【課題】ランナーと壁材の接触面積を小さくして擦過音の発生を防止するにあたり、ランナーとして薄い鋼板を使用しても、ランナーの剛性が高くなって、ランナーの歪みを防止できるため、部分的な接触圧力の増加が生じにくくなり、擦過音の発生を防止することが可能となる施工性の良い乾式間仕切壁を提供する。【解決手段】上階側に固定された上部ランナー３と、下階側に固定された下部ランナー４との間に、壁材５を少なくとも上部ランナーに対して面内方向に変位可能な状態に立設して層間変位を吸収するようにした乾式間仕切壁において、前記上部ランナー３の壁材５と対面する垂直板部１２にランナー長手方向に沿った溝状リブａを設けて、壁材５と線接触させるように構成する。【選択図】図４
2007277901.tif 000002
【特許請求の範囲】
【請求項１】
上階側に固定された上部ランナーと、下階側に固定された下部ランナーとの間に、壁材を少なくとも上部ランナーに対し面内方向に変位可能な状態に立設して層間変位を吸収するようにした乾式間仕切壁において、前記上部ランナーの壁材と対面する垂直板部にランナー長手方向に沿った溝状リブを設けて、壁材と線接触させるようにしたことを特徴とする乾式間仕切壁。
【請求項２】
平坦な水平板部と、その幅方向両側縁から下方へ直角に折曲連設され、且つ、長手方向に沿った溝状リブが設けられた垂直板部とで構成されたシングルランナー。
【請求項３】
平坦な水平板部と、その幅方向両側縁から下方へ直角に折曲連設され、且つ、長手方向に沿った溝状リブが設けられた垂直板部とからなる内側ランナーと、前記平板部の上面に重ね合わせた状態に固着された前記水平板部よりも幅広の平坦な水平板部と、その幅方向両側縁から下方へ直角に折曲連設され、且つ、長手方向に沿った溝状リブが設けられた垂直板部とからなる外側ランナーとで構成され、内側ランナーの垂直板部と外側ランナーの垂直板部との間に壁材嵌め込み用の溝が形成されているダブルランナー。
【発明の詳細な説明】
【技術分野】
【０００１】
本発明は、上階側に固定された上部ランナーと、下階側に固定された下部ランナーとの間に、壁材を少なくとも上部ランナーに対し面内方向に変位可能な状態に立設して層間変位を吸収するようにした乾式間仕切壁と、それに使用されるシングルランナー及びダブルランナーに関する。
【背景技術】
【０００２】
高層ビルの乾式間仕切壁においては、建物の揺れにより生じる層間変位に伴い、軋み音が発生することが多い。この軋み音は、風速数メートルから発生し、ホテルなどの宿泊施設では大きな問題となる。この軋み音は、主として乾式間仕切壁のランナーと壁材の摩擦により発生する擦過音であることが確認されている。擦過音は、壁材との摩擦によるランナーの振動により発生し、薄い鋼板を折り曲げ加工したランナーの場合、ほんの僅かな挙動（０．１ｍｍ程度）で発生することが確認されている。
【０００３】
そのため、従来では、乾式間仕切壁における層間変位追従部の軋み音対策として、ランナーとして、厚さ１〜１．６ｍｍ程度の薄鋼板で製造されたものを使用すると共に、特許文献１に見られるように、層間変位によって摩擦が生じる部分にテープなどの滑り材を設けて、摩擦を低減するか、上部ランナーと躯体との間に滑り機構を設ける方法が一般的である。
【０００４】
また、壁材の上端に取り付けて、上部ランナーの垂直板部をスライド自在に挟持するようにした係止部材の挟持面に上部ランナーの垂直板部と点接触させる小突起を設けるか、或いは、係止部材の挟持面は小突起のない平滑な形状とし、これに挟持される上部ランナーの垂直板部側に係止部材の挟持面と点接触させる小突起を設けることにより、上部ランナーと係止部材の接触面積を小さくして摩擦力を低減し、擦過音の発生を防止することも、特許文献２によって知られている。
【０００５】
ところで、乾式間仕切壁における層間変位追従部の軋み音（擦過音）は、ランナーの壁材との摩擦によるランナーの振動により発生するので、ランナーとして厚い鋼板を使用することによって、発生を抑制できるが、厚い鋼板の使用は、費用及び重量の増大に直結することになり、不経済である。
【０００６】
従って、経済性及び施工性の面からは、ランナーとして極力薄い鋼板を使用することが望ましいのであるが、鋼板が薄い程、壁材との摩擦によって振動しやすくなり、殊に、０．８ｍｍ程度の薄い鋼板を折り曲げ加工したランナーの場合、長尺物では歪みが発生し、部分的に壁材との接触圧力が高くなって、軋み音が発生し易くなる傾向があった。また、０．８ｍｍ程度の薄い鋼板を折り曲げ加工したランナーでは、剛性が低いので、変形しやすく、ランナーの垂直板部が平行になるように精度良く施工することが難しく、施工性の面でも問題があった。
【０００７】
【特許文献１】特開２００３−２７６３９号公報
【特許文献２】特開平６−１３６８６１号公報
【発明の開示】
【発明が解決しようとする課題】
【０００８】
本発明は、上記の問題点を踏まえてなされたものであって、その目的とするところは、ランナーと壁材の接触面積を小さくして擦過音の発生を防止するにあたり、ランナーとし
て薄い鋼板を使用しても、ランナーの剛性が高くなって、ランナーの歪みを防止できるため、部分的な接触圧力の増加が生じにくくなり、擦過音の発生を防止することが可能となる施工性の良い乾式間仕切壁を提供することにある。
【課題を解決するための手段】
【０００９】
上記の課題を解決するために、本発明が講じた技術的手段は、次の通りである。即ち、請求項１に記載の発明は、上階側に固定された上部ランナーと、下階側に固定された下部ランナーとの間に、壁材を少なくとも上部ランナーに対し面内方向に変位可能な状態に立設して層間変位を吸収するようにした乾式間仕切壁において、前記上部ランナーの壁材と対面する垂直板部にランナー長手方向に沿った溝状リブを設けて、壁材と線接触させるようにしたことを特徴としている。
【００１０】
請求項２に記載の発明は、請求項１に記載の乾式間仕切壁における上部ランナーとして使用できるシングルランナーであって、平坦な水平板部と、その幅方向両側縁から下方へ直角に折曲連設され、且つ、長手方向に沿った溝状リブが設けられた垂直板部とで構成されている点に特徴がある。
【００１１】
請求項３に記載の発明は、請求項１に記載の乾式間仕切壁における上部ランナーとして使用できるダブルランナーであって、平坦な水平板部と、その幅方向両側縁から下方へ直角に折曲連設され、且つ、長手方向に沿った溝状リブが設けられた垂直板部とからなる内側ランナーと、前記平板部の上面に重ね合わせた状態に固着された前記水平板部よりも幅広の平坦な水平板部と、その幅方向両側縁から下方へ直角に折曲連設され、且つ、長手方向に沿った溝状リブが設けられた垂直板部とからなる外側ランナーとで構成され、内側ランナーの垂直板部と外側ランナーの垂直板部との間に壁材嵌め込み用の溝が形成されている点に特徴がある。
【発明の効果】
【００１２】
請求項１に記載の発明によれば、上部ランナーの壁材と対面する垂直板部にランナー長手方向に沿った溝状リブを設けて壁材と線接触させるので、上部ランナーと壁材の接触面積が小さくなり、しかも、ランナー長手方向に沿った溝状リブを設けることにより、上部ランナーとして薄い鋼板を使用しても剛性が高くなり、上部ランナーの歪みを防止できるため、部分的な接触圧力の増加が生じにくくなる。
【００１３】
これらの理由により、上部ランナーとして薄い鋼板を使用し乍も、擦過音の発生を防止することができ、しかも、溝状リブにより上部ランナーの剛性が高まるため、変形しにくく、垂直板部が互いに平行になるように精度良く施工することが容易である。
【００１４】
たとえ、滑りテープなどの材料を補助的に用いる場合でも、接触面積が小さいため、少ない材料で済み、ランナーの剛性を上げるために厚い鋼板を用いなくても済むことと相俟って乾式間仕切壁における層間変位追従部の軋み音対策費用を低減できる。
【００１５】
請求項２，３に記載の発明によれば、水平板部が平坦であるから、溝状リブの成形領域が必要最小限に抑えられることになり、請求項１に記載の乾式間仕切壁における上部ランナーとして使用できるシングルランナーやダブルランナーが安価に提供される。
【発明を実施するための最良の形態】
【００１６】
以下、本発明の実施形態を図面に基づいて説明する。図１、図２は、本発明に係る乾式間仕切壁を例示する。図において、１は梁鉄骨、１ａはその下面に溶接された下地用鉄骨である。２は下階床スラブである。３は上階側（図示の例では梁鉄骨１の下面に溶接された下地用鉄骨１ａであるが、上階側としては、梁鉄骨１や上階床スラブでもよく、上階床
スラブから吊下げ支持された天井板であってもよい。）に固定された上部ランナー、４は下階側（図示の例では下階床スラブであるが、二重床における上部床であってもよい。）に固定された下部ランナー、５は上部ランナー３と下部ランナー４の間に立設された壁材であり、各壁材５は、石膏、珪酸カルシウム等より製造されたボード５ａとその表面に貼着された化粧材５ｂとから構成されている。６は上階床スラブに吊りボルト（図示せず）と天井下地を介して支持された天井板である。
【００１７】
前記壁材５は、少なくとも上部ランナー３に対して面内方向に変位可能な状態に立設され、層間変位を吸収するように構成されている。具体的には、上部ランナー３と下部ランナー４の間に薄鋼板製のスタッド７を、図２に示すように、スタッド７の上下両端部側面に溶接されたランナースペーサー８を介して千鳥状に配置し、両側の壁材５を夫々の側に近づけたスタッド７にタッピングビス等の止め具９で固定してあり、上部ランナー３や下部ランナー４には固定していない。１０は断熱材である。
【００１８】
上部ランナー３としては、図３、図４に示すように、平坦な水平板部１１と、その幅方向両側縁から下方へ直角に折曲連設され、且つ、長手方向に沿った溝状リブａが設けられた垂直板部１２，１２とで構成されたシングルランナーが用いられている。そして、図１、図４に示すように、上部ランナー３の垂直板部１２，１２と壁材５，５とを線接触させるように構成してある。このシングルランナーは、厚さ０．８ｍｍ程度の薄鋼板を折曲加工したものである。
【００１９】
尚、図１の実施形態では、下部ランナー４としても上部ランナー３と同じシングルランナーが用いられているが、下部ランナー４の板厚、断面形状は不問であり、従来通りであってもよい。
【００２０】
上記の構成によれば、上部ランナー３の壁材５と対面する垂直板部１２にランナー長手方向に沿った溝状リブａを設けて壁材５と線接触させるので、上部ランナー３と壁材５の接触面積が小さくなり、しかも、ランナー長手方向に沿った溝状リブａを設けることにより、上部ランナー３として厚さ１ｍｍ以下（０．８ｍｍ程度）の薄い鋼板を使用しても剛性が高くなり、上部ランナー３の歪みを防止できるため、部分的な接触圧力の増加が生じにくくなる。
【００２１】
これらの理由により、上部ランナー３として薄い鋼板を使用し乍も、擦過音の発生を防止することができ、しかも、溝状リブａにより上部ランナー３の剛性が高まるため、変形しにくく、垂直板部１２，１２が互いに平行になるように精度良く施工することが容易である。
【００２２】
たとえ、滑りテープなどの材料を補助的に用いる場合でも、接触面積が小さいため、少ない材料で済み、ランナーの剛性を上げるために厚い鋼板を用いなくても済むことと相俟って乾式間仕切壁における層間変位追従部の軋み音対策費用を低減できることになる。
【００２３】
図５〜図８は、本発明の他の実施形態を示し、上部ランナー３として、図６〜図８に示すように、平坦な水平板部１１ａと、その幅方向両側縁から下方へ直角に折曲連設され、且つ、長手方向に沿った溝状リブａが設けられた垂直板部１２ａ，１２ａとからなる内側ランナーＡと、前記平板部１１ａの上面に重ね合わせた状態に溶接又は接着により固着された前記水平板部１１ａよりも幅広の平坦な水平板部１１ｂと、その幅方向両側縁から下方へ直角に折曲連設され、且つ、長手方向に沿った溝状リブｂが設けられた垂直板部１２ｂ，１２ｂとからなる外側ランナーＢとで構成され、内側ランナーＡの垂直板部１２ａと外側ランナーＢの垂直板部１２ｂとの間に壁材嵌め込み用の溝Ｃが形成されているダブルランナーを用いた点に特徴がある。壁材５，５の上端部は溝Ｃ，Ｃに嵌め込まれただけで
あり、上部ランナー３に対し面内方向に変位可能な状態に立設されることになる。
【００２４】
尚、壁材嵌め込み用の溝Ｃを挟んで対向位置する溝状リブａ，ｂは、図８に示すように、一方ａが溝Ｃ内方へ突出するとき、他方ｂが溝Ｃ外方へ突出するように、同方向に屈曲させてある。
【００２５】
上記の構成によれば、上部ランナー３における垂直板部１２ａ，１２ｂに溝状リブａ，ｂを設けたので、垂直板部１２ａ，１２ｂ間の溝Ｃ，Ｃに嵌め込まれた壁材５と垂直板部１２ａ，１２ｂとが線接触することになり、上部ランナー３と壁材５の接触面積が小さくなる。また、ランナー長手方向に沿った溝状リブａ，ｂを設けることにより、上部ランナー３として厚さ１ｍｍ以下（０．８ｍｍ程度）の薄い鋼板を使用しても剛性が高くなり、上部ランナー３の歪みを防止できるため、部分的な接触圧力の増加が生じにくくなる。
【００２６】
従って、これらの理由により、上部ランナー３として薄い鋼板を使用し乍も、擦過音の発生を防止することができ、しかも、溝状リブａ，ｂにより上部ランナー３の剛性が高まるため、変形しにくく、垂直板部１２ａ，１２ａ、垂直板部１２ｂ，１２ｂが互いに平行になるように精度良く施工することが容易である。
【００２７】
また、壁材嵌め込み用の溝Ｃを挟んで対向位置する溝状リブａ，ｂを、一方ａが溝Ｃ内方へ突出するとき、他方ｂが溝Ｃ外方へ突出するように、同方向に屈曲させてあるので、溝Ｃの実質的な開口幅（溝状リブの突出先端から対面する溝内面までの水平距離）Ｌ１が、対向位置する両側の溝状リブａ，ｂが溝内方へ突出している場合の実質的な開口幅Ｌ２よりも、片側の溝状リブａ又はｂの突出高さ分、広くなり、壁材５の嵌め込み作業を容易に行えることになる。その他の構成、作用は先の実施形態と同じであるため、説明を省略する。
【００２８】
図５の実施形態では、下部ランナー４としても上部ランナー３と同じダブルランナーが用いられているが、下部ランナー４の板厚、断面形状は不問であり、従来通りであってもよい。また、図５に示した実施形態では、壁材５をスタッド６にタッピングビス等の止め具９で固定してあるが、スタッド６を用いずに、壁材５の下端部を下部ランナー４にタッピングビス等の止め具９で固定するようにした乾式間仕切壁にも本発明は適用できる。この場合でも、壁材５の上端部は溝Ｃに嵌め込まれるので、少なくとも上部ランナー３に対し面内方向に変位可能な状態に立設され、層間変位を吸収することになる。図３、図４、図６〜図８では、溝状リブとして先端にアールを付けたものを示したが、図９に示すように、頂点に折れ線のある山形の溝状リブとしてもよい。図９ではシングルランナーを図示したが、ダブルランナーについても同様に実施できることは勿論である。
【００２９】
尚、図１〜図９に基づいて説明した各実施形態において、ランナー長手方向に沿った溝状リブａ，ｂとしては、ランナー長手方向に連続した溝状リブａ，ｂであることが最も望ましいが、溝状リブの補強効果による剛性アップが達成できる限り、例えば、適当な長さの溝状リブを千鳥状に配置する等して、ランナー長手方向に断続させてもよい。また、ランナーの材質としては、鋼板に限らず、鉄以外の金属（例えば、樹脂被覆鋼板、アルミ、銅）やプラスチック類（例えば、塩化ビニル等の熱可塑性樹脂）でもよい。特に、樹脂被覆鋼板を用いると、僅かに接触する部分の摩擦抵抗をさらに小さくすることが可能となる利点がある。
【図面の簡単な説明】
【００３０】
【図１】本発明の実施形態を示す乾式間仕切壁の縦断側面図である。
【図２】上記乾式間仕切壁の横断平面図である。
【図３】上部ランナーとして用いたシングルランナーの斜視図である。
【図４】上記シングルランナーと壁材との位置関係を示す斜視図である。
【図５】本発明の他の実施形態を示す乾式間仕切壁の縦断側面図である。
【図６】上部ランナーとして用いたダブルランナーの斜視図である。
【図７】上記ダブルランナーと壁材との位置関係を示す斜視図である。
【図８】上記ダブルランナーの縦断側面図である。
【図９】溝状リブの他の例を示す斜視図である。
【符号の説明】
【００３１】
１  梁鉄骨
２  下階床スラブ
３  上部ランナー
４  下部ランナー
５  壁材
Ｃ  溝
ａ，ｂ  溝状リブ
【図１】
2007277901.tif 000003
【図２】
2007277901.tif 000004
【図３】
2007277901.tif 000005
【図４】
2007277901.tif 000006
【図５】
2007277901.tif 000007
【図６】
2007277901.tif 000008
【図７】
2007277901.tif 000009
【図８】
2007277901.tif 000010
【図９】
2007277901.tif 000011